(57)【要約】  本出願の実施例はビーム管理方法、端末装置とネットワーク装置を提供する。該方法は端末装置が第一のネットワーク装置へ第一のビームセット内の各ビームの特徴情報を送信し、該第一のビームセットが少なくとも一つのビームを含み、該特徴情報が該第一のネットワーク装置がターゲットビームを確定するために用いられることと、該端末装置が該第一のネットワーク装置から送信された指示情報を受信し、該指示情報が該第一のネットワーク装置によって確定された該ターゲットビームを示すことに用いられることと、該端末装置が該ターゲットビームに基づき、ビーム管理を行うこととを含む。本出願の実施例では端末装置がビームの特徴情報を送信し、これによりネットワーク装置は端末装置のための最適なターゲットビームを確定し、ターゲットビームに基づいてビーム管理を行い、それによって信号伝送の品質が向上する。
2019536304.tif 000002
【特許請求の範囲】
【請求項１】
ビーム管理方法であって、
端末装置が第一のネットワーク装置へ第一のビームセット内の各ビームの特徴情報を送信し、前記第一のビームセットに少なくとも一つのビームが含まれ、前記特徴情報が前記第一のネットワーク装置がターゲットビームを確定するために用いられることと、
前記端末装置が前記第一のネットワーク装置から送信された指示情報を受信し、前記指示情報が前記第一のネットワーク装置によって確定された前記ターゲットビームを示すことに用いられることと、
前記端末装置が前記ターゲットビームに基づき、ビーム管理を行うこととを含む、前記ビーム管理方法。
【請求項２】
前記方法はさらに、
前記端末装置が前記第一のビームセット内の各ビームのチャネル品質を取得することを含み、
ここで、前記端末装置がネットワーク装置へ第一のビームセット内の各ビームの特徴情報を送信することは、
前記端末装置が前記第一のネットワーク装置へ前記第一のビームセット内の各ビームの特徴情報を送信し、前記特徴情報にチャネル品質を示すためのチャネル品質情報が含まれることを含むことを特徴とする
請求項１に記載の方法。
【請求項３】
前記第一のビームセットは第二のビームセット内のビームのチャネル品質とプリセットチャネル品質との関係によって確定され、第二のビームセットが、前記端末装置が現在使用されている第一のビームで特徴情報が測定できるビームを含み、前記第一のビームが前記第一のネットワーク装置に対応することを特徴とする
請求項１又は２に記載の方法。
【請求項４】
前記方法はさらに、
前記端末装置が前記第一のビームのチャネル品質及び第二のビームセット内のビームのチャネル品質とプリセットチャネル品質との関係に応じて、前記第一のビームセットを確定することを含み、
ここで、前記端末装置が前記ターゲットビームに基づき、ビーム接続を管理することは、
前記端末装置が前記ターゲットビームに基づき、前記第一のビームから前記ターゲットビームへのビーム切り替えを行うことを含むことを特徴とする
請求項３に記載の方法。
【請求項５】
前記端末装置が前記第一のビームのチャネル品質に基づき、前記第一のビームセットを確定することは、
前記端末装置が、前記第一のビームのチャネル品質が第一のプリセットチャネル品質閾値未満である時に、前記第二のビームセット内の第二のプリセットチャネル品質閾値より高い少なくとも一つのビームを前記第一のビームセットとして確定することを含むことを特徴とする
請求項４に記載の方法。
【請求項６】
前記端末装置が前記第一のビームのチャネル品質に基づき、前記第一のビームセットを確定することは、
前記端末装置が前記第一のビームのチャネル品質が第一のプリセットチャネル品質閾値より低い時に、前記第二のビームセット内の第二のプリセットチャネル品質閾値より高い少なくとも一つのビームを第三のビームセットとして確定することと、
前記端末装置が前記第三のビームセット内のチャネル品質が最も高いビームを前記第一のビームセットとして確定することとを含むことを特徴とする
請求項４に記載の方法。
【請求項７】
前記方法はさらに、
前記端末装置が前記第二のビームセット内の第二のプリセットチャネル品質閾値より大きい少なくとも一つのビームを前記第一のビームセットとして確定することを含み、
ここで、前記端末装置が前記ターゲットビームに基づき、ビーム接続を管理することは、
前記端末装置が前記ターゲットビームに基づき、前記ターゲットビームのセカンダリ接続を確立することを含むことを特徴とする
請求項３に記載の方法。
【請求項８】
前記方法はさらに、
前記端末装置が前記第二のビームセット内の第二のプリセットチャネル品質閾値より大きい少なくとも一つのビームを第三のビームセットとして確定することと、
前記端末装置が前記第三のビームセット内のチャネル品質が最も高いビームを前記第一のビームセットとして確定することとを含み、
ここで、前記端末装置が前記ターゲットビームに基づき、ビーム接続を管理することは、
前記端末装置が前記ターゲットビームに基づき、前記ターゲットビームのセカンダリ接続を確立することを含むことを特徴とする
請求項３に記載の方法。
【請求項９】
前記方法はさらに、
前記端末装置が前記第二のビームセットの前記第一のプリセットチャネル品質閾値より低い少なくとも一つのビームを前記第一のビームセットとして確定することを含み、
ここで、前記端末装置が前記ターゲットビームに基づき、ビーム接続を管理することは、
前記端末装置が前記ターゲットビームに基づき、前記ターゲットビームのセカンダリ接続を削除することを含むことを特徴とする
請求項３に記載の方法。
【請求項１０】
前記方法はさらに、
前記端末装置が前記第二のビームセットの前記第一のプリセットチャネル品質閾値未満の少なくとも一つのビームを第三のビームセットとして確定することと、
前記端末装置が前記第三のビームセット内のチャネル品質が最も低いビームを前記第一のビームセットとして確定することとを含み、
ここで、前記端末装置が前記ターゲットビームに基づき、ビーム接続を管理することは、
前記端末装置が前記ターゲットビームに基づき、前記ターゲットビームのセカンダリ接続を削除することを含むことを特徴とする
請求項３に記載の方法。
【請求項１１】
前記第一のビームは第四のビームセットの境界ビームであり、しかも前記第四のビームセットに含まれる複数のビームの各ビームと前記第一のビームの特徴情報が同じであることを特徴とする
請求項３−１０のいずれか一項に記載の方法。
【請求項１２】
前記指示情報に前記ターゲットビームのビーム識別ＩＤ、ビームグループＩＤ、セルＩＤ、第二のネットワーク装置のネットワーク装置ＩＤとビーム配置情報のうちの少なくとも一つが含まれ、ここで、前記第二のネットワーク装置が前記ターゲットビームに対応するネットワーク装置であることを特徴とする
請求項１−１１のいずれか一項に記載の方法。
【請求項１３】
前記端末装置が前記ターゲットビームに基づき、ビーム接続を管理することは、
前記端末装置が前記ターゲットビームを使用して信号を送信することを含むことを特徴とする
請求項１又は２に記載の方法。
【請求項１４】
前記第一のビームセット内の各ビームの特徴情報にビーム識別ＩＤ及び／又はビームグループＩＤがさらに含まれることを特徴とする
請求項１−１３のいずれか一項に記載の方法。
【請求項１５】
ビーム管理方法であって、
第一のネットワーク装置が端末装置から送信された第一のビームセット内の各ビームの特徴情報を受信し、前記第一のビームセットに複数のビームが含まれることと、
前記第一のネットワーク装置が前記第一のビームセット内の各ビームの特徴情報に基づき、前記第一のビームセットからターゲットビームを確定することと、
前記第一のネットワーク装置が前記端末装置へ指示情報を送信し、前記指示情報が前記第一のネットワーク装置によって確定された前記ターゲットビームを示すことに用いられることとを含む、前記ビーム管理方法。
【請求項１６】
前記第一のネットワーク装置が端末装置から送信された第一のビームセット内の各ビームの特徴情報を受信することは、
前記第一のネットワーク装置が前記端末装置から送信された第一のビームセット内の各ビームの特徴情報を受信し、前記特徴情報にチャネル品質を示すためのチャネル品質情報が含まれることを含むことを特徴とする
請求項１５に記載の方法。
【請求項１７】
前記第一のビームセットは、第二のビームセット内の第一のプリセット条件を満たすビームを含み、前記第一のビームが、前記端末装置が現在使用しているビームであり、前記第一のビームが前記第一のネットワーク装置に対応することを特徴とする
請求項１５又は１６に記載の方法。
【請求項１８】
前記第一のビームは第四のビームセットの境界ビームであり、しかも前記第四のビームセットに含まれる複数のビームの各ビームと前記第一のビームの特徴情報が同じであることを特徴とする
請求項１７に記載の方法。
【請求項１９】
前記ターゲットビームが第二のネットワーク装置に対応し、
前記方法はさらに、
前記第一のネットワーク装置が前記第二のネットワーク装置へビーム配置リクエストメッセージを送信し、前記ビーム配置リクエストメッセージに前記ターゲットビームのビーム識別ＩＤが含まれることと、
前記第一のネットワーク装置が前記第二のネットワーク装置から送信されたビーム配置応答メッセージを受信し、前記ビーム配置応答メッセージにビーム配置情報が含まれることとを含み、
ここで、前記第一のネットワーク装置が前記端末装置へ指示情報を送信することは、
前記第一のネットワーク装置が前記端末装置へ前記ビーム配置情報、前記ターゲットビームのビームＩＤと前記第二のネットワーク装置のネットワーク装置ＩＤが含まれる指示情報を送信することを含むことを特徴とする
請求項１７又は１８に記載の方法。
【請求項２０】
前記指示情報に前記ターゲットビームのビームＩＤ及び／又はビームグループＩＤが含まれることを特徴とする
請求項１５−１９のいずれか一項に記載の方法。
【請求項２１】
前記第一のビームセット内の各ビームの特徴情報にビーム識別ＩＤがさらに含まれることを特徴とする
請求項１５−２０のいずれか一項に記載の方法。
【請求項２２】
ビームを管理するための端末装置であって、
第一のネットワーク装置へ第一のビームセット内の各ビームの特徴情報を送信するように構成され、前記第一のビームセットに少なくとも一つのビームが含まれ、前記特徴情報が前記第一のネットワーク装置がターゲットビームを確定するために用いられる送信モジュールと、
前記第一のネットワーク装置から送信された指示情報を受信するように構成され、前記指示情報が前記第一のネットワーク装置によって確定された前記ターゲットビームを示すことに用いられる受信モジュールと、
前記ターゲットビームに基づき、ビーム管理を行うように構成される処理モジュールとを備える。
【請求項２３】
前記受信モジュールはさらに前記第一のビームセット内の各ビームのチャネル品質を取得するように構成され、
前記送信モジュールは具体的に、
前記第一のネットワーク装置へ前記第一のビームセット内の各ビームの特徴情報を送信するように構成され、前記特徴情報にチャネル品質を示すためのチャネル品質情報が含まれることを特徴とする
請求項２２に記載の端末装置。
【請求項２４】
前記第一のビームセットは第二のビームセット内のビームとプリセットチャネル品質との関係によって確定され、第二のビームセットが、前記端末装置が現在使用されている第一のビームで特徴情報が測定できるビームを含み、前記第一のビームが前記第一のネットワーク装置に対応することを特徴とする
請求項２２又は２３に記載の端末装置。
【請求項２５】
前記処理モジュールは具体的に、
前記第一のビームのチャネル品質に基づき、前記第一のビームセットを確定し、
前記ターゲットビームに基づき、前記第一のビームから前記ターゲットビームへのビーム切り替えを行うように構成されることを特徴とする
請求項２４に記載の端末装置。
【請求項２６】
前記処理モジュールは具体的に、
前記第一のビームのチャネル品質が第一のプリセットチャネル品質閾値未満である時に、前記第二のビームセット内の第二のプリセットチャネル品質閾値より高い少なくとも一つのビームを前記第一のビームセットとして確定するように構成されることを特徴とする
請求項２５に記載の端末装置。
【請求項２７】
前記処理モジュールは具体的に、
前記第一のビームのチャネル品質が第一のプリセットチャネル品質閾値より低い時に、前記第二のビームセット内の第二のプリセットチャネル品質閾値より高い少なくとも一つのビームを第三のビームセットとして確定し、
前記第三のビームセット内のチャネル品質が最も高いビームを前記第一のビームセットとして確定するように構成されることを特徴とする
請求項２５に記載の端末装置。
【請求項２８】
前記処理モジュールは具体的に、
前記第二のビームセット内の第二のプリセットチャネル品質閾値より大きい少なくとも一つのビームを前記第一のビームセットとして確定し、
前記ターゲットビームに基づき、前記ターゲットビームのセカンダリ接続を確立するように構成されることを特徴とする
請求項２４に記載の端末装置。
【請求項２９】
前記処理モジュールは具体的に、
前記第二のビームセット内の第二のプリセットチャネル品質閾値より大きい少なくとも一つのビームを第三のビームセットとして確定し、
前記第三のビームセット内のチャネル品質が最も高いビームを前記第一のビームセットとして確定し、
前記ターゲットビームに基づき、前記ターゲットビームのセカンダリ接続を確立するように構成されることを特徴とする
請求項２４に記載の端末装置。
【請求項３０】
前記処理モジュールは具体的に、
前記第二のビームセットの前記第一のプリセットチャネル品質閾値より低い少なくとも一つのビームを前記第一のビームセットとして確定し、
前記端末装置は前記ターゲットビームに基づき、前記ターゲットビームのセカンダリ接続を削除するように構成されることを特徴とする
請求項２４に記載の端末装置。
【請求項３１】
前記処理モジュールは具体的に前記第二のビームセットの前記第一のプリセットチャネル品質閾値未満の少なくとも一つのビームを第三のビームセットとして確定し、
前記第三のビームセット内のチャネル品質が最も低いビームを前記第一のビームセットとして確定し、
前記ターゲットビームに基づき、前記ターゲットビームのセカンダリ接続を削除するように構成されることを特徴とする
請求項２４に記載の端末装置。
【請求項３２】
前記第一のビームは第四のビームセットの境界ビームであり、しかも前記第四のビームセットに含まれる複数のビームの各ビームと前記第一のビームの特徴情報が同じであることを特徴とする
請求項２４−３１のいずれか一項に記載の端末装置。
【請求項３３】
前記指示情報に前記ターゲットビームのビーム識別ＩＤ、ビームグループＩＤ、セルＩＤ、第二のネットワーク装置のネットワーク装置ＩＤとビーム配置情報のうちの少なくとも一つが含まれ、ここで、前記第二のネットワーク装置が前記ターゲットビームに対応するネットワーク装置であることを特徴とする
請求項２２−３２のいずれか一項に記載の端末装置。
【請求項３４】
前記処理モジュールは具体的に、
前記端末装置が前記ターゲットビームを使用して信号を送信するように構成されることを特徴とする
請求項２２又は２３のいずれか一項に記載の端末装置。
【請求項３５】
前記第一のビームセット内の各ビームの特徴情報にビームＩＤ及び／又はビームグループＩＤがさらに含まれることを特徴とする
請求項２２−３４のいずれか一項に記載の端末装置。
【請求項３６】
第一のネットワーク装置であって、
端末装置から送信された第一のビームセット内の各ビームの特徴情報を受信するように構成され、前記第一のビームセットに複数のビームが含まれる受信モジュールと、
前記受信モジュールによって受信された前記第一のビームセット内の各ビームの特徴情報に基づき、前記第一のビームセットからターゲットビームを確定するように構成される処理モジュールと、
前記端末装置へ指示情報を送信するように構成され、前記指示情報が前記第一のネットワーク装置によって確定された前記ターゲットビームを示すことに用いられる送信モジュールとを備える、前記第一のネットワーク装置。
【請求項３７】
前記受信モジュールは具体的に、
前記端末装置から送信された第一のビームセット内の各ビームの特徴情報を受信するように構成され、前記特徴情報にチャネル品質を示すためのチャネル品質情報が含まれることを特徴とする
請求項３６に記載の第一のネットワーク装置。
【請求項３８】
前記第一のビームセットは第二のビームセット内のビームとプリセットチャネル品質との関係によって確定され、第二のビームセットが、前記端末装置が現在使用されている第一のビームで特徴情報が測定できるビームを含み、前記第一のビームが前記第一のネットワーク装置に対応することを特徴とする
請求項３６又は３７に記載の第一のネットワーク装置。
【請求項３９】
前記第一のビームは第四のビームセットの境界ビームであり、しかも前記第四のビームセットに含まれる複数のビームの各ビームと前記第一のビームの特徴情報が同じであることを特徴とする
請求項３８に記載の第一のネットワーク装置。
【請求項４０】
前記ターゲットビームが第二のネットワーク装置に対応し、
前記送信モジュールはさらに前記第二のネットワーク装置へビーム配置リクエストメッセージを送信するように構成され、前記ビーム配置リクエストメッセージに前記ターゲットビームのビーム識別ＩＤが含まれ、
前記受信モジュールはさらに前記第二のネットワーク装置から送信されたビーム配置応答メッセージを受信するように構成され、前記ビーム配置応答メッセージにビーム配置情報が含まれ、
前記送信モジュールは具体的に、
前記端末装置へ前記ビーム配置情報、前記ターゲットビームのビームＩＤと前記第二のネットワーク装置のネットワーク装置ＩＤが含まれる指示情報を送信するように構成されることを特徴とする
請求項３８又は３９に記載の第一のネットワーク装置。
【請求項４１】
前記指示情報に前記ターゲットビームのビームＩＤ及び／又はビームグループＩＤが含まれることを特徴とする
請求項３６−４０のいずれか一項に記載の第一のネットワーク装置。
【請求項４２】
前記第一のビームセット内の各ビームの特徴情報にビーム識別ＩＤ及び／又はビームグループＩＤがさらに含まれることを特徴とする
請求項３６−４１のいずれか一項に記載の第一のネットワーク装置。
【発明の詳細な説明】
【技術分野】
【０００１】
本出願は通信分野に関し、特にビーム管理方法、端末装置とネットワーク装置に関する。
【背景技術】
【０００２】
マルチアンテナ（ＭＩＭＯ：Ｍｕｌｔｉｐｌｅ−Ｉｎｐｕｔ  Ｍｕｌｔｉｐｌｅ−Ｏｕｔｐｕｔ）技術が長期進化（ＬＴＥ：Ｌｏｎｇ  Ｔｅｒｍ  Ｅｖｏｌｕｔｉｏｎ）システムのコア技術の一つであり、システムの伝送レートを大幅に向上することができる。ビームフォーミングはアンテナアレイに基づく信号の前処理技術であり、各アンテナアレイ素子上の送信信号の重み値を調整することにより、指向性のあるビームを生成する。
【０００３】
従来技術では、端末装置はビームフォーミングにより信号を送信し、ネットワーク装置はセル内でビームスキャンを行う。即ち、端末装置は複数のビームを使用してネットワーク装置へ信号を送信することができ、この背景で、どのように複数のビームのビーム接続を管理して信号伝送の品質を向上するかについて新しい設計スキームが必要となる。
【発明の概要】
【発明が解決しようとする課題】
【０００４】
これを鑑みて、本発明の実施例は信号伝送品質を向上させることができるビーム管理方法、端末装置とネットワーク装置を提供する。
【課題を解決するための手段】
【０００５】
第一の態様によるビーム管理方法は、端末装置が第一のネットワーク装置へ第一のビームセット内の各ビームの特徴情報を送信し、該第一のビームセットが少なくとも一つのビームを含み、該特徴情報が該第一のネットワーク装置がターゲットビームを確定するために用いられることと、該端末装置が該第一のネットワーク装置から送信された指示情報を受信し、該指示情報が該第一のネットワーク装置によって確定された該ターゲットビームを示すことに用いられることと、該端末装置が該ターゲットビームに基づき、ビーム管理を行うこととを含む。
【０００６】
端末装置はネットワーク装置へビームセット内の各ビームの特徴情報を送信し、これによりネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信し、これによりネットワーク装置は端末装置のための最適なターゲットビームを確定し、ターゲットビームに基づいてビーム管理を行い、それによって信号伝送の品質が向上する。
【０００７】
いくつかの可能な実施形態では、該方法はさらに該端末装置が該第一のビームセット内の各ビームのチャネル品質を取得することを含み、ここで、該端末装置がネットワーク装置へ第一のビームセット内の各ビームの特徴情報を送信することは、該端末装置が該第一のネットワーク装置へ該第一のビームセット内の各ビームの特徴情報を送信し、該特徴情報にチャネル品質を示すためのチャネル品質情報が含まれることを含む。
【０００８】
端末装置はそれ自体で各ビームのチャネル品質を確定し、又はネットワーク装置によって確定して送信し、そしてネットワーク装置に送信される特徴情報にチャネル測定情報を含ませることができ、このようにしてネットワーク装置はチャネル測定情報に基づいてターゲットビームを確定する。
【０００９】
いくつかの可能な実施形態では、該第一のビームセットは第二のビームセット内のビームのチャネル品質とプリセットチャネル品質との関係によって確定され、第二のビームセットが、前記端末装置が現在使用されている第一のビームで特徴情報が測定できるビームを含み、該第一のビームが該第一のネットワーク装置に対応する。
【００１０】
第二のビームセット内のビームとプリセットチャネル品質との関係はビームセットにおいて一定の関数関係を満たすこと、又はあるプリセット閾値以上又は未満のいかなる判定条件であってもよく、これにより端末装置はビームセットの範囲をさらに縮小し、ターゲットビームを正確に確定することができる。
【００１１】
いくつかの可能な実施形態では、該方法はさらに該端末装置が該第一のビームのチャネル品質及び第二のビームセット内のビームのチャネル品質とプリセットチャネル品質との関係に応じて、該第一のビームセットを確定することを含み、ここで、該端末装置が該ターゲットビームに基づき、ビーム接続を管理することは、該端末装置が該ターゲットビームに基づき、該第一のビームから該ターゲットビームへのビーム切り替えを行うことを含む。
【００１２】
端末装置はビーム管理を行う時に、現在のビーム接続状態を考慮することができ、現在のビームのチャネル品質がニーズを満たすことができない場合、第二のビームセットからニーズを満たす第一のビームセットを選択することができる。
【００１３】
いくつかの可能な実施形態では、該端末装置が該第一のビームのチャネル品質に基づき、該第一のビームセットを確定することは、該端末装置が、該第一のビームのチャネル品質が第一のプリセットチャネル品質閾値未満である時に、該第二のビームセット内の第二のプリセットチャネル品質閾値より高い少なくとも一つのビームを該第一のビームセットとして確定することを含む。
【００１４】
端末装置は第一のビームのチャネル品質が第一のプリセットチャネル品質閾値より低い時に、第二のビームセットのチャネル品質が第二のプリセットチャネル品質閾値より高い少なくとも一つのビームを第二のビームセットとして構成する。ここでの第一のプリセットチャネル品質閾値と第二のプリセットチャネル品質閾値は同じであっても異なってもよく、実際の応用においてニーズに応じて設定されてもよい。
【００１５】
いくつかの可能な実施形態では、該端末装置が該第一のビームのチャネル品質に基づき、該第一のビームセットを確定することは、該端末装置が該第一のビームのチャネル品質が第一のプリセットチャネル品質閾値より低い時に、該第二のビームセット内の第二のプリセットチャネル品質閾値より高い少なくとも一つのビームを第三のビームセットとして確定することと、該端末装置が該第三のビームセット内のチャネル品質が最も高いビームを該第一のビームセットとして確定することとを含む。
【００１６】
端末装置はそれ自体が最適であると考えるターゲットビームを選択し、ネットワーク装置によって適切であるか否かを確認し、ネットワーク装置のリソース占有を受信する。
【００１７】
いくつかの可能な実施形態では、該方法はさらに該端末装置が該第二のビームセット内の第二のプリセットチャネル品質閾値より大きい少なくとも一つのビームを該第一のビームセットとして確定することを含み、ここで、該端末装置が該ターゲットビームに基づき、ビーム接続を管理することは、該端末装置が該ターゲットビームに基づき、該ターゲットビームのセカンダリ接続を確立することを含む。
【００１８】
端末装置はセカンダリ接続を確立して一部のベアラ又はデータストリームをこのセカンダリ接続ビームに配置し、信号伝送効率を向上させることができる。
【００１９】
いくつかの可能な実施形態では、該方法はさらに該端末装置が該第二のビームセット内の第二のプリセットチャネル品質閾値より大きい少なくとも一つのビームを第三のビームセットとして確定することと、該端末装置が該第三のビームセット内のチャネル品質が最も高いビームを該第一のビームセットとして確定することとを含み、ここで、該端末装置が該ターゲットビームに基づき、ビーム接続を管理することは、該端末装置が該ターゲットビームに基づき、該ターゲットビームのセカンダリ接続を確立することを含む。
【００２０】
端末装置はそれ自体が最適であると考えるターゲットビームを選択し、ネットワーク装置によって適切であるか否かを確認し、さらにターゲットビームに基づいてセカンダリ接続を確立し、信号伝送効率を向上させる。
【００２１】
いくつかの可能な実施形態では、該方法はさらに該端末装置が該第二のビームセットの該第一のプリセットチャネル品質閾値より低い少なくとも一つのビームを該第一のビームセットとして確定することを含み、ここで、該端末装置が該ターゲットビームに基づき、ビーム接続を管理することは該端末装置が該ターゲットビームに基づき、該ターゲットビームのセカンダリ接続を削除することを含む。
【００２２】
端末装置はプリセット条件を満たさないビームのセカンダリ接続を削除し、帯域幅の占有を節約することができる。
【００２３】
いくつかの可能な実施形態では、該方法はさらに該端末装置が該第二のビームセットの該第一のプリセットチャネル品質閾値未満の少なくとも一つのビームを第三のビームセットとして確定することと、該端末装置が該第三のビームセット内のチャネル品質が最も低いビームを該第一のビームセットとして確定することとを含み、ここで、該端末装置が該ターゲットビームに基づき、ビーム接続を管理することは、該端末装置が該ターゲットビームに基づき、該ターゲットビームのセカンダリ接続を削除することを含む。
【００２４】
端末装置はそれ自体が最適であると考えるターゲットビームを選択し、ネットワーク装置によって適切であるか否かを確認し、最終的にプリセット条件を満たさないビームのセカンダリ接続を削除し、帯域幅の占有を節約する。
【００２５】
いくつかの可能な実施形態では、該第一のビームは第四のビームセットの境界ビームであり、しかも該第四のビームセットに含まれる複数のビームの各ビームと該第一のビームの特徴情報が同じである。
【００２６】
いくつかの可能な実施形態では、該指示情報に該ターゲットビームのビーム識別ＩＤ、セルＩＤ、ビームグループＩＤ、第二のネットワーク装置のネットワーク装置ＩＤとビーム配置情報のうちの少なくとも一つが含まれ、ここで、該第二のネットワーク装置が該ターゲットビームに対応するネットワーク装置である。
【００２７】
いくつかの可能な実施形態では、該端末装置が該ターゲットビームに基づき、ビーム接続を管理することは該端末装置が該ターゲットビームを使用して信号を送信することを含む。
【００２８】
いくつかの可能な実施形態では、該第一のビームセット内の各ビームの特徴情報にビーム識別ＩＤ及び／又はビームグループＩＤがさらに含まれる。
【００２９】
第二の態様によるビーム管理方法は、第一のネットワーク装置が端末装置から送信された第一のビームセット内の各ビームの特徴情報を受信し、該第一のビームセットに複数のビームが含まれることと、該第一のネットワーク装置が該第一のビームセット内の各ビームの特徴情報に基づき、該第一のビームセットからターゲットビームを確定することと、該第一のネットワーク装置が該端末装置へ指示情報を送信し、該指示情報が該第一のネットワーク装置によって確定された該ターゲットビームを示すことに用いられることとを含む。
【００３０】
ネットワーク装置は端末装置から送信されたビームセット内の各ビームの特徴情報を受信し、特徴情報に基づいてターゲットビームを確定し、そして端末装置へ確定されたターゲットビームを示すための指示情報を送信し、これにより端末装置はターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【００３１】
いくつかの可能な実施形態では、該第一のネットワーク装置が端末装置から送信された第一のビームセット内の各ビームの特徴情報を受信することは、該第一のネットワーク装置が該端末装置から送信された第一のビームセット内の各ビームの特徴情報を受信し、該特徴情報にチャネル品質を示すためのチャネル品質情報が含まれることを含む。
【００３２】
いくつかの可能な実施形態では、該第一のビームセットは第二のビームセット内のビームとプリセットチャネル品質との関係によって確定され、第二のビームセットが、前記端末装置が現在使用されている第一のビームで特徴情報が測定できるビームを含み、該第一のビームが該第一のネットワーク装置に対応する。
【００３３】
いくつかの可能な実施形態では、該第一のビームは第四のビームセットの境界ビームであり、しかも該第四のビームセットに含まれる複数のビームの各ビームと該第一のビームの特徴情報が同じである。
【００３４】
いくつかの可能な実施形態では、該ターゲットビームが第二のネットワーク装置に対応し、該方法はさらに該第一のネットワーク装置が該第二のネットワーク装置へビーム配置リクエストメッセージを送信し、該ビーム配置リクエストメッセージに該ターゲットビームのビーム識別ＩＤが含まれることと、該第一のネットワーク装置が該第二のネットワーク装置から送信されたビーム配置応答メッセージを受信し、該ビーム配置応答メッセージにビーム配置情報が含まれることとを含み、ここで、該第一のネットワーク装置が該端末装置へ指示情報を送信することは、該第一のネットワーク装置が該端末装置へ該ビーム配置情報、該ターゲットビームのビームＩＤと該第二のネットワーク装置のネットワーク装置ＩＤが含まれる指示情報を送信することを含む。
【００３５】
いくつかの可能な実施形態では、該指示情報に該ターゲットビームのビームＩＤ及び／又はビームグループＩＤが含まれる。
【００３６】
いくつかの可能な実施形態では、該第一のビームセット内の各ビームの特徴情報にビーム識別ＩＤ及び／又はビームグループＩＤがさらに含まれる。
【００３７】
第三の態様による端末装置は該第一の態様における方法又は第一の態様におけるいずれかの可能な実施形態を実行するための各モジュールを備える。
【００３８】
第四の態様によるネットワーク装置は、該第二の態様における方法又は第二の態様におけるいずれかの可能な実施形態を実行するための各モジュールを備える。
【００３９】
第五の態様による通信システムは上記第三の態様における端末装置と上記第四の態様におけるネットワーク装置を備える。
【００４０】
第六の態様による端末装置はプロセッサとメモリを備え、
前記メモリがプログラムを記憶し、前記プロセッサが上記第一の態様又は第一の態様のいずれかの可能な実施形態に記載されるビーム管理方法を実行するための前記プログラムを実行する。
【００４１】
第七の態様によるネットワーク装置はプロセッサとメモリを備え、
前記メモリがプログラムを記憶し、前記プロセッサが上記第二の態様又は第二の態様のいずれかの可能な実施形態に記載されるビーム管理方法を実行するための前記プログラムを実行する。
【００４２】
第八の態様によるコンピュータ記憶媒体は、上記第一の態様又は第一の態様のいずれかの可能な実施形態におけるビーム管理方法を実行するためのプログラムコードを記憶する。
【００４３】
第九の態様によるコンピュータ記憶媒体は、上記第二の態様又は第二の態様のいずれかの可能な実施形態におけるビーム管理方法を実行するためのプログラムコードを記憶する。
【００４４】
上記技術的解決策に基づき、端末装置はネットワーク装置へビームセット内の各ビームの特徴情報を送信し、これによりネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【図面の簡単な説明】
【００４５】
【図１】本出願の実施例による応用シーンの概略図である。
【図２】本出願の一つの実施例によるビーム管理方法の概略図である。
【図３】本出願の他の実施例によるビーム管理方法の概略図である。
【図４】本出願の一つの実施例によるビーム管理方法の概略フローチャートである。
【図５】本出願の他の実施例によるビーム管理方法の概略フローチャートである。
【図６】本出願の実施例による端末装置の概略ブロック図である。
【図７】本出願の一つの実施例によるネットワーク装置の概略ブロック図である。
【図８】本出願の一つの実施例によるビーム管理システムの概略ブロック図である。
【図９】本出願の一つの実施例による端末装置の構造図である。
【図１０】本出願の一つの実施例によるネットワーク装置の構造図である。
【発明を実施するための形態】
【００４６】
本出願の実施例の技術的解決策をより明確に説明するために、以下に本出願の実施例又は従来技術の説明に必要な図面を簡単に説明し、明らかに、以下に記載される図面が本出願のいくつかの実施例に過ぎず、当業者であれば、創造的な労力を要することなく、これらの図面に基づいて他の図面を得ることができる。
【００４７】
以下に本出願の実施例の図面を組み合わせながら、本出願の実施例における技術的解決策を明確に全面的に説明し、明らかに、説明される実施例は本発明の一部の実施例に過ぎず、全ての実施例ではない。本発明の実施例に基づき、当業者が創造的な労力を要せずに得た他の実施例は、全て本発明の保護範囲に属する。
【００４８】
理解すべきものとして、本発明の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ「ＵＭＴＳ」と略称）、ワールドワイドインターオペラビリティマイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の第５世代（５Ｇ：５ｔｈＧｅｎｅｒａｔｉｏｎ）システムなどに応用されてもよい。
【００４９】
特に、本発明の実施例の技術的解決策は非直交多重アクセス技術に基づく様々な通信システム、例えば疎コード多重アクセス（Ｓｐａｒｓｅ  Ｃｏｄｅ  Ｍｕｌｔｉｐｌｅ  Ａｃｃｅｓｓ：「ＳＣＭＡ」と略称）システム、低密度署名（Ｌｏｗ  Ｄｅｎｓｉｔｙ  Ｓｉｇｎａｔｕｒｅ：「ＬＤＳ」と略称）システムなどに応用されてもよく、当然、ＳＣＭＡシステムとＬＤＳシステムが通信分野において他の名称と呼ばれてもよく、さらに、本発明の実施例の技術的解決策は非直交多元接続技術を用いたマルチ搬送波伝送システム、例えば非直交多重アクセス技術を用いた非直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）、フィルタバンクマルチ搬送波（Ｆｉｌｔｅｒ  Ｂａｎｋ  Ｍｕｌｔｉ−Ｃａｒｒｉｅｒ：「ＦＢＭＣ」と略称）、汎用周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：「ＧＦＤＭ」と略称）、フィルタリング直交周波数分割多重化（Ｆｉｌｔｅｒｅｄ−ＯＦＤＭ：「Ｆ−ＯＦＤＭ」と略称）システムなどに応用されてもよい。
【００５０】
本発明の実施例における端末装置はユーザ装置（ＵＥ：Ｕｓｅｒ  Ｅｑｕｉｐｍｅｎｔ）、アクセス端末、加入者ユニット、加入者局、移動局、移動サイト、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上移動ネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明の実施例はこれに限定されない。
【００５１】
本発明の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮｏｄｅＢ）であってもよく、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、クラウドワイヤレスアクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおける端末装置又は将来の進化したＰＬＭＮネットワークにおけるネットワーク装置などであってもよく、本発明の実施例はこれに限定されない。
【００５２】
図１は本発明の一つの応用シーンの概略図である。図１における通信システムは端末装置とネットワーク装置を備えることができる。端末装置は複数のビームを使用して信号を送信することにより、ネットワーク装置と通信する。
【００５３】
５Ｇシステムでは、伝送レートに対する５Ｇの要求を達成するために、高周波数帯域（中心周波数が６ＧＨｚ以上であり、典型的に２８ＧＨｚである）でのデータ伝送をサポートする必要がある。高周波数帯域でデータ伝送を行う時に、より高い伝送レートを達成するために、マルチアンテナ技術を使用する必要がある。
【００５４】
ビームフォーミングはアンテナアレイに基づく信号前処理技術であり、各アンテナアレイ素子上の送信信号の重み値を調整することにより、指向性のあるビームを生成する。
【００５５】
従来技術では、端末装置はビームフォーミングにより複数のビームでネットワーク装置へ信号を送信し、本出願の実施例において複数のビームの接続を管理する新しい設計スキームが提供され、信号伝送の品質を向上させることができる。
【００５６】
図２は本出願の実施例におけるビーム管理方法２００の概略図である。該方法２００の実行本体は端末装置であってもよい。該方法２００はＳ２１０〜Ｓ２３０を含む。
【００５７】
Ｓ２１０において、端末装置は第一のネットワーク装置へ第一のビームセット内の各ビームの特徴情報を送信し、該第一のビームセットが複数のビームを含み、該特徴情報が該第一のネットワーク装置がターゲットビームを確定するために用いられる。
【００５８】
Ｓ２２０において、該端末装置は該第一のネットワーク装置から送信された指示情報を受信し、該指示情報が該第一のネットワーク装置によって確定された該ターゲットビームを示すことに用いられる。
【００５９】
Ｓ２３０において、該端末装置は該ターゲットビームに基づき、ビーム管理を行う。
【００６０】
具体的には、第一のビームセットは少なくとも一つのビームを含み、端末装置はネットワーク装置（第一のネットワーク装置として示される）へ第一のビームセット内の各ビームの特徴情報を送信し、該特徴情報がターゲットビームを確定するためにネットワーク装置によって使用されてもよく、そしてネットワーク装置がターゲットビームを確定した後に送信した指示情報を受信し、このようにして端末装置はターゲットビームに基づいてビーム管理を行うことができる。
【００６１】
該特徴情報は異なるビームで送信された信号のフォーミングゲインが良いか否かを区別するためにネットワークによって使用されてもよく、選択可能に、特徴情報にビームＩＤ、ビームグループＩＤ、セルＩＤ、第二のネットワーク装置のネットワーク装置ＩＤとビーム配置情報のうちの少なくとも一つを含ませることも可能である。このようにしてネットワーク装置は特徴情報に基づいてフォーミングゲインの最も良いビームを確定し、そして端末装置へ通知メッセージを送信することができる。
【００６２】
ビーム管理はビーム接続の確立、ビーム接続の切り替え、セカンダリ接続の追加、削除又は他の接続プロセスなどを含むことができ、本出願はこれに限定されない。
【００６３】
理解すべきものとして、該特徴情報は個別に送信されてもよく、復調基準信号（ＤＭＲＳ：Ｄｅｍｏｄｕｌａｔｉｏｎ  Ｒｅｆｅｒｅｎｃｅ  Ｓｉｇｎａｌ）、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）又はチャネルサウンディング基準信号（ＳＲＳ：Ｓｏｕｎｄｉｎｇ  Ｒｅｆｅｒｅｎｃｅ  Ｓｉｇｎａｌ）に含まれてもよく、指示情報は無線リソース制御（ＲＲＣ：Ｒａｄｉｏ  Ｒｅｓｏｕｒｃｅ  Ｃｏｎｔｒｏｌ）メッセージ又はダウンリンク制御情報シグナリングに含まれてもよく、本出願はこれに限定されない。
【００６４】
理解すべきものとして、端末装置はビームセットのビームの特徴情報を送信し、同時に送信してもよく、周期的に送信してもよく、又はポーリング送信してもよいことなどがあり、本出願はこれに限定されない。
【００６５】
説明すべきものとして、異なるビームは異なるビーム方向のビームとと見なされてもよく、同じビーム方向のビームであってもよく、容易に説明するために、本出願の実施例は、異なるビーム方向を異なるビームで表すことを例として説明する。
【００６６】
したがって、本出願の実施例によるビーム管理方法では、端末装置はネットワーク装置へビームセット内の各ビームの特徴情報を送信し、これによりネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信し、これによりネットワーク装置は端末装置のための最適なターゲットビームを確定し、ターゲットビームに基づいてビーム管理を行い、それによって信号伝送の品質が向上する。
【００６７】
選択可能に、本出願の実施例はビーム接続の初期確立に応用されてもよく、端末装置はサポートできるビームを第一のビームセットとして確定し、ネットワーク装置は該第一のビームセットからターゲットビームを選択し、そして指示情報によって端末装置に通知し、端末装置は該ターゲットビームのビーム接続を確立する。
【００６８】
選択可能に、一つの実施例として、該方法はさらに該端末装置が該第一のビームセット内の各ビームのチャネル品質を取得することを含み、ここで、該端末装置がネットワーク装置へ第一のビームセット内の各ビームの特徴情報を送信することは、該端末装置が該第一のネットワーク装置へ該第一のビームセット内の各ビームの特徴情報を送信し、該特徴情報にチャネル品質を示すための品質情報が含まれることを含む。
【００６９】
具体的には、端末装置はそれ自体で各ビームのチャネル品質を確定し、又はネットワーク装置によって確定して送信し、そしてネットワーク装置に送信されるビームの特徴情報にチャネル測定情報を含ませることができ、このようにしてネットワーク装置はチャネル測定情報に基づいてターゲットビームを確定する。
【００７０】
選択可能に、一つの実施例として、該第一のビームセットは第二のビームセット内のビームとプリセットチャネル品質との関係によって確定され、第二のビームセットが、該端末装置が現在使用されている第一のビームで特徴情報が測定できるビームを含み、該第一のビームが該第一のネットワーク装置に対応する。
【００７１】
具体的には、第二のビームセットは端末装置が取得できる周辺のビームの特徴情報の全て又は一部のビームから構成されてもよく、隣ビームと呼ばれてもよい。第一のビームが端末装置によって現在使用されているビームであり、そして該第一のビームが第一のネットワーク装置のカバレッジ内に位置する場合、該第二のビームセットは該第一のビームの隣ビームであってもよく、該第二のビームセット内のビームが第一のネットワーク装置のカバレッジ内に位置してもよく、他のネットワーク装置のカバレッジ内に位置してもよい。
【００７２】
第一のプリセット条件はビームセットにおいて一定の関数関係を満たすること、又はあるプリセット閾値以上又は未満のいかなる判定条件であってもよく、これにより端末装置はビームセットの範囲をさらに縮小し、ターゲットビームを正確に確定することができる。
【００７３】
理解すべきものとして、端末装置がターゲットビームに基づいてビーム管理を行うための様々な配置情報はシステムメッセージ又は専用シグナリングプロセスによって端末装置に予め配置されてもよく、指示情報と共に同一のメッセージに含まれてもよく、本出願はこれに限定されない。
【００７４】
選択可能に、第一のビームセット内の各ビームの特徴情報にビームの識別子情報がさらに含まれ、これによりネットワーク装置はチャネル品質の最も良いビームを確定し、該ビームが具体的にどのビームであるかを知る。選択可能に、端末装置はネットワーク装置へ第一のビームのチャネル品質を送信することもでき、ネットワーク装置は現在のビームと候補ビームとの関係を総合的に考慮し、ターゲットビームを確定することができ、さらに端末装置はビーム管理を行うことができる。
【００７５】
選択可能に、一つの実施例として、該方法はさらに該端末装置が該第一のビームのチャネル品質に基づき、該第一のビームセットを確定することを含み、ここで、該端末装置が該ターゲットビームに基づき、ビーム接続を管理することは該端末装置が該ターゲットビームに基づき、該第一のビームから該ターゲットビームへの切り替えを行うことを含む。
【００７６】
具体的には、端末装置はビーム管理を行う時に、現在のビーム接続状態を考慮することができ、現在のビームのチャネル品質がニーズを満たすことができない場合、第二のビームセットからニーズを満たす第一のビームセットを選択することができる。このようにして端末装置がネットワーク装置へ第一のビームセット内の各ビームの特徴情報を送信した後、ネットワーク装置はターゲットビームを確定し、そして指示情報を送信して端末装置に通知することができ、これにより端末装置は第一のビームからターゲットビームに切り替えられることができる。
【００７７】
理解すべきものとして、ビームを切り替えるためにリソースを占有する必要があるため、端末装置は現在のビームのチャネル品質に対する要求と第二のビームセット内のビームに対応する要求は異なってもよい。
【００７８】
理解すべきものとして、ビーム切り替えプロセスはダウンリンク及び／又はアップリンク及びダウンリンクリンクを含むことができる。
【００７９】
選択可能に、一つの実施例として、該端末装置が該第一のビームのチャネル品質に基づき、該第一のビームセットを確定することは、該端末装置が、該第一のビームのチャネル品質が第一のプリセットチャネル品質閾値より低い時に、該第二のビームセット内の第二のプリセットチャネル品質閾値より高い少なくとも一つのビームを該第一のビームセットとして確定することを含む。
【００８０】
具体的には、端末装置は第一のビームのチャネル品質が第一のプリセットチャネル品質閾値より低い時に、第二のビームセットのチャネル品質が第二のプリセットチャネル品質閾値より高い少なくとも一つのビームを第一のビームセットとして構成する。ここでの第一のプリセットチャネル品質閾値と第二のプリセットチャネル品質閾値が同じであっても異なってもよく、実際の応用においてニーズに応じて設定されてもよい。
【００８１】
選択可能に、端末装置はさらに第一のビームのチャネル品質と第二のプリセットチャネル品質閾値を超える少なくとも一つのビームを比較することを考慮することができる。具体的には、端末装置は第二のプリセットチャネル品質閾値より高い少なくとも一つのビームのうち、第一のビームのチャネル品質より高いビームを第一のビームセットとして確定することができる。一つのオフセット値を設定し、即ち第二のプリセットチャネル品質閾値より高い少なくとも一つのビームのうち、第一のビームのチャネル品質が該オフセット値を超えるビームを第一のビームセットとして確定することもできる。
【００８２】
理解すべきものとして、第一のプリセット閾値は第一のビームのチャネル品質に対する端末装置のプリセット要求と見なされてもよく、第二のプリセット閾値は第一のビームセットのビームのチャネル品質に対する端末装置のプリセット要求と見なされてもよい。以下の各実施例ではこの対応関係を例として説明し、そして異なる実施例で第一のプリセット閾値と第二のプリセット閾値の具体的な値が限定されない。
【００８３】
選択可能に、一つの実施例として、該端末装置が該第一のビームのチャネル品質に基づき、該第一のビームセットを確定することは、該端末装置が、該第一ビームのチャネル品質が第一のプリセットチャネル品質閾値より低い時に、該第二のビームセット内の第二のプリセットチャネル品質閾値より高いビームを第三のビームセットとして確定することと、該端末装置が該第三のビームセット内のチャネル品質が最も高いビームを該第一のビームセットとして確定することとを含む。
【００８４】
具体的には、端末装置は第一のビームのチャネル品質が第一のプリセットチャネル品質閾値より低い時に、第二のビームセット内の第二のプリセットチャネル品質閾値より高い少なくとも一つのビームを第三のビームセットとして確定する。ここで端末装置はそれ自体のニーズなどに応じて、チャネル品質がより適切なビームを予めスクリーニングして第一のビームセットを構成し、そして第一のビームセット内の各ビームの特徴情報をネットワーク装置に送信することができる。端末装置は第一のビームセットを選択する時に、チャネル品質が最もよいものを第一のビームセットを構成するビームとすることができる。チャネル品質が最も良いビームが２つである場合、一つビームを第一のビームセットのビームとして任意に選択してもよく、この２つのビームを第一のビームセットを構成するビームとして同時に見なすこともできる。端末装置は第一のビームセットを確定した後、ネットワーク装置へ第一のビームセット内の各ビームの特徴情報を送信し、ネットワーク装置は特徴情報に基づいてターゲットビームを確定する。第一のビームセットに２つの同じチャネル品質のビームが存在する場合、その中の一つをターゲットビーム
選択する。
【００８５】
選択可能に、端末装置はさらに第一のビームのチャネル品質と第二のプリセットチャネル品質閾値を超える少なくとも一つのビームを比較することを考慮することができる。具体的に、端末装置は第二のプリセットチャネル品質閾値より高い少なくとも一つのビームのうち、第一のビームのチャネル品質閾値より高いビームを第三のビームセットとして確定することができる。さらに一つのオフセット値を設定し、即ち第二のプリセットチャネル品質閾値より高い少なくとも一つのビームのうち、第一のビームのチャネル品質より高く且つ該オフセット値を超えるビームを第三のビームセットとして確定することもできる。
【００８６】
説明すべきものとして、ネットワーク装置によって受信された第一のビームセットのビームの特徴情報が端末装置によってスクリーニングされたものであるため、ネットワーク装置はそれ自体の判定に応じて、端末装置によって選択されたビームを受信するか否かを判定することもでき、具体的には、ネットワーク装置はビームのチャネル品質及び／又は現在のビームの負荷状況に基づき、該ビームをターゲットビームとして受信してビーム管理を行うか否かを確定し、受信する場合、端末装置に返信された指示情報に確認情報が含まれる。
【００８７】
選択可能に、一つの実施例として、該方法はさらに該端末装置が該第二のビームセット内の第二のプリセットチャネル品質閾値より大きい少なくとも一つのビームを該第一のビームセットとして確定することを含み、ここで、該端末装置が該ターゲットビームに基づき、ビーム接続を管理することは該端末装置が該ターゲットビームに基づき、該ターゲットビームのセカンダリ接続を確立することを含む。
【００８８】
具体的には、セカンダリ接続ビームは現在の一つのビーム又は複数のビームがプライマリ接続ビームとして使用される時に、依然として現在のサービス処理を満たすことができなく、又は処理効果が良くない時に、端末装置はセカンダリ接続を確立して一部のベアラ又はデータストリームをこのセカンダリ接続ビームに配置することができる。
【００８９】
端末装置は第二のビームセット内の第二のプリセットチャネル品質閾値より大きい少なくとも一つのビームを第一のビームセットとして確定し、そして第一のビームセット内の各ビームの特徴情報をネットワーク装置に送信し、ネットワーク装置は第一のビームセットからターゲットビームを確定し、そして指示情報によって端末装置に通知し、端末装置はターゲットビームのセカンダリ接続を確立する。
【００９０】
本出願の実施例では、セカンダリ接続を確立する時に、現在のビーム接続のチャネル品質状態を考慮しないことができる。当然、現在のビームのチャネル品質が第一のプリセット閾値より大きい場合、セカンダリ接続を選択することが最適である。現在のビームのチャネル品質が第一のプリセット閾値より小さい場合、まずターゲットビームを選択し、ターゲットビームに切り替えることを考慮することができる。具体的な実施形態では、応用ニーズに応じて選択し、本出願の実施例はこれに限定されない。
【００９１】
端末装置はさらに第一のビームのチャネル品質と第二のプリセットチャネル品質閾値を超える少なくとも一つのビームを比較することを考慮することができる。具体的には、端末装置は第二のプリセットチャネル品質閾値より少なくとも一つのビームのうち、第一のビームのチャネル品質より高いビームを第一のビームセットとして確定することができる。一つのオフセット値を設定し、即ち第二のプリセットチャネル品質閾値の少なくとも一つのビームのうち、第一のビームのチャネル品質より高く且つ該オフセット値を超えるビームを第一のビームセットとして確定することもできる。
【００９２】
理解すべきものとして、本出願の実施例のターゲットビームは一つであってもよく、複数であってもよく、本出願はこれに限定されない。
【００９３】
選択可能に、一つの実施例として、端末装置はターゲットビームのセカンダリ接続を確立する時に、端末装置はまず第二のプリセットチャネル品質閾値より大きいビームを第三のビームセットとして確定し、次にチャネル品質の最も良いビームを確定して第一のビームセットとして構成し、そしてネットワーク装置に送信することができ、ネットワーク装置から端末装置に返信された指示情報に確認情報が含まれる。該確認情報に、ターゲットビームを受信し又は受信しないことを示すための識別情報が含まれる。全て受信し又は受信しない場合、ビーム識別情報を含ませないことができ、この時に端末装置は現在のビーム接続を維持することができる。
【００９４】
端末装置はさらに第一のビームのチャネル品質と第二のプリセットチャネル品質閾値を超える少なくとも一つのビームを比較することを考慮することができる。具体的には、端末装置は第二のプリセットチャネル品質閾値より高い少なくとも一つのビームのうち、第一のビームのチャネル品質より高いビームを第三のビームセットとして確定することができる。一つのオフセット値を設定し、即ち第二のプリセットチャネル品質閾値より高い少なくとも一つのビームのうち、第一のビームのチャネル品質より高く且つ該オフセット値を超えるビームを第三のビームセットとして確定することもできる。
【００９５】
選択可能に、一つの実施例として、該方法はさらに該端末装置が該第二のビームセットの該第一のプリセットチャネル品質閾値より低い少なくとも一つのビームを該第一のビームセットとして確定することを含み、ここで、該端末装置が該ターゲットビームに基づき、ビーム接続を管理することは、該端末装置が該ターゲットビームに基づき、該ターゲットビームのセカンダリ接続を削除することを含む。
【００９６】
具体的には、本出願の実施例では第二のビームセットは現在接続している少なくとも一つのセカンダリビームを含み、該第二のビームセットにおいて第一のプリセットチャネル品質閾値より低い少なくとも一つのビームを第一のビームセットとして確定し、そして該第一のビームセット内の各ビームをネットワーク装置に送信し、ネットワーク装置はターゲットビームを確定し、ネットワーク装置は指示情報によって端末装置に通知し、端末装置はターゲットビームのセカンダリ接続を削除する。
【００９７】
理解すべきものとして、本出願の実施例のターゲットビームは一つであってもよく、複数であってもよく、本出願はこれに限定されない。
【００９８】
選択可能に、端末装置はターゲットビームのセカンダリ接続を削除する時に、まず第二のプリセットチャネル品質閾値より大きいビームを第三のビームセットとして確定し、次にチャネル品質の最も良いビームを第一のビームセットとして確定し、そしてネットワーク装置に送信することができ、ネットワーク装置から端末装置に返信された指示情報に確認メッセージが含まれる。該確認情報に、ターゲットビームを受信し又は受信しないことを示すための識別情報が含まれる。全て受信し又は受信しない場合、ビーム識別情報を含ませないことができる。
【００９９】
選択可能に、一つの実施例として、該第一のビームは第四のビームセットの境界ビームであり、しかも該第四のビームセットに含まれる複数のビームの各ビームと該第一のビームの特徴情報が同じである。
【０１００】
具体的には、本出願の実施例はさらにビームグループに適用されてもよく、該ビームグループの特徴情報が同じであるため、ネットワーク装置に通知する必要とせず、端末装置は現在接続している第一のビームからビームググループのいずれかのビームに切り替えることが可能である。端末装置は各ビームのビームＩＤに基づいてグループ内のビームであるか否かを識別することができ、又は端末装置はグループ内の各ビームにグループ識別ＩＤを配置する。
【０１０１】
即ち、端末装置はグループ内のビームの特徴情報を予め知ることができる。端末装置は境界ビームを確定し、又はネットワーク装置によって指定することができ、端末装置が該境界ビームに接続された場合、端末装置は周辺ビームの特徴情報を測定し、特徴情報に基づいてターゲットビームを確定し、又はネットワーク装置によって確定し、ビーム管理を行う必要がある。
【０１０２】
説明すべきものとして、端末装置は境界ビームに移動する時に、現在のビームグループ以外のビームの特徴情報のみを測定することができ、全て測定することもでき、本出願はこれに限定されない。
【０１０３】
理解すべきものとして、ここでの境界ビームは一つであってもよく、複数であってもよく、境界ビームはビームグループ内のいずれかの一つ又は複数の端末装置によって確定され又はネットワーク装置によって指定されたビームであってもよく、本出願はこれに限定されない。本出願では「境界ビーム」の名称も限定されず、上記の該グループ内のビームに接続された後、周辺のビームを測定してターゲットビームを確定する必要があるビームさえ有すれば、本出願の保護範囲内にある。
【０１０４】
理解すべきものとして、同一のビームグループ内のビームＩＤが異なるが、異なるビームグループ内のビームＩＤは同じであってもよく、端末装置がネットワーク装置へビームの特徴情報を送信する時に、ネットワーク装置は同じビームＩＤのビームに対して、ビームグループのグループＩＤに応じて区分することができ、それによってターゲットビームを正確に確定することができる。
【０１０５】
選択可能に、一つの実施例として、該指示情報に該ターゲットビームのビーム識別子（ＩＤ：ｉｄｅｎｔｉｔｙ）、セルＩＤ、ビームグループＩＤ、第二のネットワーク装置のネットワーク装置ＩＤとビーム配置情報のうちの少なくとも一つが含まれ、ここで、該第二のネットワーク装置が該ターゲットビームに対応するネットワーク装置である。
【０１０６】
具体的には、ターゲットビームにビームＩＤ、ビームグループＩＤとビーム配置情報に含まれ、これにより端末装置はどのビームが選択されたビームであるか否か、及びターゲットビームに対してどの配置情報が使用されるかを知る。ターゲットビームと第一のビームが同一のネットワーク装置に属しない場合、ネットワーク装置から端末装置に送信された指示情報にもターゲットビームの属するネットワーク装置のネットワーク装置ＩＤ、又は属するセルのセルＩＤが含まれ、又は両者が含まれてもよい。この時のビーム配置情報はターゲットビームの属するネットワーク装置（第二のネットワーク装置として示される）によって設定される。
【０１０７】
したがって、本出願の実施例によるビーム管理方法では、端末装置はネットワーク装置へビームセット内の各ビームの特徴情報を送信し、これにより、ネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【０１０８】
図３は本出願の一つの実施例によるビーム管理方法３００を示す図である。該方法３００の実行本体はネットワーク装置である。該方法３００はＳ３１０〜Ｓ３３０を含む。
【０１０９】
Ｓ３１０において、第一のネットワーク装置は端末装置から送信された第一のビームセット内の各ビームの特徴情報を受信し、該第一のビームセットに複数のビームが含まれる。
【０１１０】
Ｓ３２０において、該第一のネットワーク装置は該第一のビームセット内の各ビームの特徴情報に基づき、該第一のビームセットからターゲットビームを確定する。
【０１１１】
Ｓ３３０において、該第一のネットワーク装置は該端末装置へ指示情報を送信し、該指示情報が該第一のネットワーク装置によって確定された該ターゲットビームを示すことに用いられる。
【０１１２】
具体的には、第一のビームセットが少なくとも一つのビームを含み、ネットワーク装置（第一のネットワーク装置として示される）が端末装置から送信された第一のビームセット内の各ビームの特徴情報を受信し、ネットワーク装置が該特徴情報に基づいてターゲットビームを確定し、そして端末装置へターゲットビームを示すための指示情報を送信し、このようにして端末装置はターゲットビームに基づいてビーム管理を行うことができる。
【０１１３】
理解すべきものとして、本発明の実施例では、端末装置側で説明されるインタラクション及び関連特性、機能などとネットワーク装置側での説明に対応し、簡潔にするために、ここでは説明を省略する。
【０１１４】
したがって、本出願の実施例によるビーム管理方法では、ネットワーク装置は端末装置から送信されたビームセット内の各ビームの特徴情報を受信し、特徴情報に基づいてターゲットビームを確定し、そして端末装置へ確定されたターゲットビームを示すための指示情報を送信し、これにより端末装置はターゲットビームに基づいてビーム管理を行い、このようにして端末装置がビームの特徴情報を送信することにより、ネットワーク装置は端末装置のための最適なターゲットビームを確定し、そしてターゲットビームに基づいてビーム管理を行い、それによって信号伝送の品質が向上する。
【０１１５】
選択可能に、一つの実施例として、該第一のネットワーク装置が端末装置から送信された第一のビームセット内の各ビームの特徴情報を受信することは、該第一のネットワーク装置が該端末装置から送信された第一のビームセット内の各ビームの特徴情報を受信し、該特徴情報にチャネル品質を示すためのチャネル品質情報が含まれることを含む。
【０１１６】
具体的には、端末装置はそれ自体で各ビームのチャネル品質を確定し、又はネットワーク装置によって確定して送信することができ、ネットワーク装置によって受信されたビームの特徴情報にチャネル測定情報が含まれ、このようにしてネットワーク装置はチャネル測定情報に基づいてターゲットビームを確定する。
【０１１７】
選択可能に、一つの実施例として、該第一のビームセットは第二のビームセット内のビームとプリセットチャネル品質との関係によって確定され、第二のビームセットは該端末装置が現在使用されている第一のビームで特徴情報が測定できるビームを含み、該第一のビームが該第一のネットワーク装置に対応する。
【０１１８】
選択可能に、一つの実施例として、前記第一のビームは第四のビームセットの境界ビームであり、そして第四のビームセットに含まれる複数のビームの各ビームと前記第一のビームの特徴情報が同じである。
【０１１９】
具体的には、本出願の実施例はさらにビームグループに応用されてもよく、該ビームグループ内の特徴情報が同じであるため、端末装置は現在接続されている第一のビームからビームグループ内のいずれかのビームに切り替えられ、ネットワーク装置に通知する必要がない。即ち、
端末装置はグループ内のビームの特徴情報を予め知ることができる。端末装置は境界ビームを確定し、ネットワーク装置によって境界ビームを指定することができ、端末装置が該境界ビームに接続される場合、端末装置はターゲットビームを確定し、又はネットワーク装置によってターゲットビームを確定し、ビーム管理を行う必要がある。
【０１２０】
理解すべきものとして、ここでの境界ビームは一つであってもよく、複数であってもよく、境界ビームはグループ内のいずれかの端末装置によって確定され又はネットワーク装置によって指定されたビームであってもよく、本出願はこれに限定されない。
【０１２１】
選択可能に、一つの実施例として、該ターゲットビームが第二のネットワーク装置に対応し、該方法はさらに該第一のネットワーク装置が該第二のネットワーク装置へビーム配置リクエストメッセージを送信し、該ビーム配置リクエストメッセージに該ターゲットビームのビーム識別ＩＤが含まれることと、該第一のネットワーク装置が該第二のネットワーク装置から送信されたビーム配置応答メッセージを受信し、該ビーム配置応答メッセージにビーム配置情報が含まれることとを含み、ここで、該第一のネットワーク装置が該端末装置へ指示情報を送信することは該第一のネットワーク装置が該端末装置に、該ビーム配置情報、該ターゲットビームのビームＩＤと該第二のネットワーク装置のネットワーク装置ＩＤが含まれる指示情報を送信することを含む。
【０１２２】
具体的には、ターゲットビームにビームＩＤとビーム配置情報が含まれ、これにより端末装置はどのビームが選択されたビームであるか、及びターゲットビームに対ししてどの配置情報が使用されるかを知る。ターゲットビームと第一のビームが同一のネットワーク装置に属しない場合、ネットワーク装置から端末装置に送信された指示情報にもターゲットビームの属するネットワーク装置のネットワーク装置ＩＤ、又は属するセルのセルＩＤが含まれ、又は両者が含まれてもよい。この時のビーム配置情報はターゲットビームの属するネットワーク装置（第二のネットワーク装置として示される）によって設定される。
【０１２３】
具体的には、第一のネットワーク装置は第二のネットワーク装置へビーム配置リクエストメッセージを送信することができ、該ビーム配置リクエストメッセージにターゲットビームのビームＩＤが含まれ、第二のネットワーク装置はターゲットビームにビーム配置情報又はリソース配置情報などを割り当て、そして第一のネットワーク装置へビーム配置応答メッセージを送信し、該ビーム配置応答メッセージにビーム配置情報が含まれ、第一のネットワーク装置は第二のネットワーク装置によって割り当てられたビーム配置情報を端末装置に送信する。該ビーム配置情報は指示情報に含まれてもよく、個別に送信されてもよい。
【０１２４】
したがって、本出願の実施例によるビーム管理方法では、ネットワーク装置は端末装置から送信されたビームセット内の各ビームの特徴情報を受信し、特徴情報に基づいてターゲットビームを確定し、そして端末装置へ確定されたターゲットビームを示すための指示情報を送信し、これにより端末装置はターゲットビームに基づいてビーム管理を行い、このようにして端末装置がビームの特徴情報を送信することにより、ネットワーク装置は端末装置のための最適なターゲットビームを確定し、そしてターゲットビームに基づいてビーム管理を行い、それによって信号伝送の品質が向上する。
【０１２５】
以下に図４を組み合わせながら本出願の実施例を説明する。注意すべきものとして、これは当業者が本出願の実施例をより良く理解するためのものであり、本出願の実施例の範囲を限定するものではない。
【０１２６】
４０１において、端末装置は第二のビームセットにおいてプリセット条件を満たす第一のビームセットを確定する。
【０１２７】
４０２において、端末装置は第一のビームセット内の各ビームのチャネル品質を取得する。
【０１２８】
４０３において、端末装置は第一のビームセット内の各ビームの特徴情報を送信し、該特徴情報にビームのチャネル品質情報が含まれる。
【０１２９】
４０４において、ネットワーク装置は各ビームの特徴情報に基づき、ターゲットビームを確定する。
【０１３０】
４０５において、ネットワーク装置は端末装置へ指示情報を送信し、該指示情報が確定されたターゲットビームを示すことに用いられる。
【０１３１】
４０６において、ネットワーク装置はターゲットビームに基づき、ビーム管理を行う。
【０１３２】
したがって、本出願のビーム管理方法では、端末装置は特徴情報を知ることができる第二のビームセットにおいてプリセット条件を満たす第一のビームセットを確定し、そしてネットワーク装置へ第一のビームセット内の各ビームの特徴情報を送信し、これによりネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【０１３３】
本出願の様々な実施形態では、上記各プロセスの番号の大きさが実行順序を意味せず、各プロセスの実行順序はその機能と内部ロジックによって確定されるべきであり、本出願の実施例の実施プロセスのいかなる限定を構成すべきではないと理解すべきである。
【０１３４】
以下に図５を組み合わせながら本出願の他の実施例を説明する。注意すべきものとして、これは当業者が本出願の実施をより良く理解するためのものであり、本出願の実施例の範囲を限定するものではない。
【０１３５】
５０１において、端末装置は第二のビームセット内のプリセット条件を満たす第三のビームセットを確定する。
【０１３６】
５０２において、端末装置は第三のビームセット内の第一のビームセットを確定し、該第一のビームセットが端末装置によって確定された最適なターゲットビームであってもよい。
【０１３７】
５０３において、端末装置は第一のビームセット内の各ビームのチャネル品質を取得する。
【０１３８】
５０４において、端末装置は第一のビームセット内の各ビーム特徴情報を送信し、該特徴情報にビームのチャネル品質情報が含まれる。
【０１３９】
５０５において、ネットワーク装置は各ビームの特徴情報に基づき、ターゲットビームを確定し、ネットワーク装置は該ターゲットビームを受信するか否かを確定する。
【０１４０】
５０６において、ネットワーク装置は端末装置へ確認情報を送信し、ネットワーク装置が該ターゲットビームを受信することを確定する場合、ターゲットビームのビームＩＤを含ませることができる。
【０１４１】
５０７において、ネットワーク装置はターゲットビームに基づき、ビーム管理を行う。
【０１４２】
したがって、本出願のビーム管理方法では、端末装置は特徴情報を知ることができる第二のビームセットにおいてプリセット条件を満たす第三のビームセットを確定し、さらに第三のビームセットにおいて端末装置によって確定された最適なターゲットビームを選択して第一のビームセットとして構成し、そしてネットワーク装置へ第一のビームセット内の各ビームの特徴情報を送信し、これによりネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置の最適なターゲットビームを確定し、ターゲットビームに基づいてビーム管理を行い、それによって信号伝送の品質が向上する。
【０１４３】
以上に本出願の実施例によるビーム管理方法を詳細に説明し、以下に本出願の実施例によるネットワーク装置と端末装置を説明する。
【０１４４】
図６は本出願の実施例による端末装置６００の概略ブロック図である。図６に示すように、該端末装置６００は送信モジュール６１０、受信モジュール６２０、処理モジュール６３０を備える。
【０１４５】
送信モジュール６１０は第一のネットワーク装置へ第一のビームセット内の各ビームの特徴情報を送信するように構成され、該第一のビームセットが少なくとも一つのビームを含み、該特徴情報が該第一のネットワーク装置がターゲットビームを確定するために用いられる。
【０１４６】
受信モジュール６２０は、該第一のネットワーク装置から送信された指示情報を受信するように構成され、該指示情報が該第一のネットワーク装置によって確定された該ターゲットビームを示すことに用いられる。
【０１４７】
処理モジュール６３０は該ターゲットビームに基づき、ビーム管理を行う。
【０１４８】
選択可能に、該受信モジュール６２０はさらに該第一のビームセット内の各ビームのチャネル品質を取得するように構成され、該送信モジュール６１０は具体的に該第一のネットワーク装置へ該第一のビームセット内の各ビームの特徴情報を送信するように構成され、該特徴情報にチャネル品質を示すためのチャネル品質情報が含まれる。
【０１４９】
選択可能に、該第一のビームセットは第二のビームセット内のビームのチャネル品質とプリセットチャネル品質との関係によって確定され、第二のビームセットが、前記端末装置が現在使用されている第一のビームで特徴情報が測定できるビームを含み、該第一のビームが該第一のネットワーク装置に対応する。
【０１５０】
選択可能に、該処理モジュール６３０は具体的に該第一のビームのチャネル品質及び第二のビームセット内のビームのチャネル品質とプリセットチャネル品質との関係に応じて、該第一のビームセットを確定し、該ターゲットビームに基づき、該第一のビームから該ターゲットビームへのビーム切り替えを行うように構成される。
【０１５１】
選択可能に、該処理モジュール６３０は具体的に該第一のビームのチャネル品質が第一のプリセットチャネル品質閾値未満である時に、該第二のビームセット内の第二のプリセットチャネル品質閾値より高い少なくとも一つのビームを該第一のビームセットとして確定するように構成される。
【０１５２】
選択可能に、該処理モジュール６３０は具体的に該第一のビームのチャネル品質が第一のプリセットチャネル品質閾値より低い時に、該第二のビームセット内の第二のプリセットチャネル品質閾値より高い少なくとも一つのビームを第三のビームセットとして確定し、該第三のビームセット内のチャネル品質の最も高いビームを該第一のビームセットとして確定するように構成される。
【０１５３】
選択可能に、該処理モジュール６３０は具体的に該第二のビームセット内の第二のプリセットチャネル品質閾値より大きい少なくとも一つのビームを該第一のビームセットとして確定し、該ターゲットビームに基づき、該ターゲットビームのセカンダリ接続を確立するように構成される。
【０１５４】
選択可能に、該処理モジュール６３０は具体的に該第二のビームセット内の第二のプリセットチャネル品質閾値より大きい少なくとも一つのビームを第三のビームセットとして確定し、該第三のビームセット内のチャネル品質の最も高いビームを該第一のビームセットとして確定し、該ターゲットビームに基づき、該ターゲットビームのセカンダリ接続を確立するように構成される。
【０１５５】
選択可能に、該処理モジュール６３０は具体的に該第二のビームセットの該第一のプリセットチャネル品質閾値より低い少なくとも一つのビームを該第一のビームセットとして確定するように構成され、該端末装置は該ターゲットビームに基づき、該ターゲットビームのセカンダリ接続を削除する。
【０１５６】
選択可能に、該処理モジュール６３０は具体的に該第二のビームセットの該第一のプリセットチャネル品質閾値未満の少なくとも一つのビームを第三のビームセットとして確定し、該第三のビームセット内のチャネル品質の最も低いビームを該第一のビームセットとして確定し、該ターゲットビームに基づき、該ターゲットビームのセカンダリ接続を削除するように構成される。
【０１５７】
選択可能に、該第一のビームは第四のビームセットの境界ビームであり、しかも該第四のビームセットに含まれる複数のビームの各ビームと該第一のビームの特徴情報が同じである。
【０１５８】
選択可能に、該指示情報に該ターゲットビームのビーム識別ＩＤ、セルＩＤ、ビームグループＩＤ、第二のネットワーク装置のネットワーク装置ＩＤとビーム配置情報のうちの少なくとも一つが含まれ、ここで、該第二のネットワーク装置が該ターゲットビームに対応するネットワーク装置である。
【０１５９】
選択可能に、該処理モジュール６３０は具体的に該端末装置が該ターゲットビームを使用して信号を送信するように構成される。
【０１６０】
選択可能に、該第一のビームセット内の各ビームの特徴情報にビームＩＤ及び／又はビームグループＩＤがさらに含まれる。
【０１６１】
したがって、本出願の実施例による端末装置では、ネットワーク装置へビームセット内の各ビームの特徴情報を送信することにより、ネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【０１６２】
図７は本出願の実施例によるネットワーク装置７００の概略ブロック図である。図７に示すように、該ネットワーク装置７００は受信モジュール７１０、処理モジュール７２０と送信モジュール７３０を備える。
【０１６３】
受信モジュール７１０は端末装置から送信された第一のビームセット内の各ビームの特徴情報を受信するように構成され、該第一のビームセットに複数のビームが含まれる。
【０１６４】
処理モジュール７２０は該受信モジュールによって受信された該第一のビームセット内の各ビームの特徴情報に基づき、該第一のビームセットからターゲットビームを確定するように構成される。
【０１６５】
送信モジュール７３０は該端末装置へ指示情報を送信するように構成され、該指示情報が該第一のネットワーク装置によって確定された該ターゲットビームを示すことに用いられる。
【０１６６】
選択可能に、該受信モジュール７１０は具体的に該端末装置から送信された第一のビームセット内の各ビームの特徴情報を受信するように構成され、該特徴情報にチャネル品質を示すためのチャネル品質情報が含まれる。
【０１６７】
該第一のビームセットは第二のビームセット内のビームとプリセットチャネル品質との関係によって確定され、第二のビームセットが、該端末装置が現在使用されている第一のビームで特徴情報が測定できるビームを含み、該第一のビームが該第一のネットワーク装置に対応する。
【０１６８】
選択可能に、該第一のビームは第四のビームセットの境界ビームであり、しかも該第四のビームセットに含まれる複数のビームの各ビームと該第一のビームの特徴情報が同じである。
【０１６９】
選択可能に、該ターゲットビームが第二のネットワーク装置に対応し、該送信モジュール７３０はさらに該第二のネットワーク装置へビーム配置リクエストメッセージを送信するように構成され、該ビーム配置リクエストメッセージに該ターゲットビームのビーム識別ＩＤが含まれ、該受信モジュール７１０はさらに該第二のネットワーク装置から送信されたビーム配置応答メッセージを受信するように構成され、該ビーム配置応答メッセージにビーム配置情報が含まれ、該送信モジュール７３０は具体的に該端末装置へ該ビーム配置情報、該ターゲットビームのビームＩＤと該第二のネットワーク装置のネットワーク装置ＩＤが含まれる指示情報を送信するように構成される。
【０１７０】
選択可能に、該指示情報に該ターゲットビームのビームＩＤ及び／又はビームグループＩＤが含まれる。
【０１７１】
選択可能に、該第一のビームセット内の各ビームの特徴情報にビーム識別ＩＤ及び／又はビームグループＩＤがさらに含まれる。
【０１７２】
したがって、本出願の実施例によるネットワーク装置では、端末装置から送信されたビームセット内の各ビームの特徴情報を受信し、特徴情報に基づいてターゲットビームを確定し、そして端末装置へ確定されたターゲットビームを示すための指示情報を送信し、これにより端末装置はターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【０１７３】
図８は本出願の実施例によるビーム管理システム８００の概略ブロック図である。該システム８００は、
上記の本出願の実施例による端末装置６００と上記の本出願の実施例によるネットワーク装置７００を備える。
【０１７４】
図９は本出願の実施例による端末装置の構造を示す図である。該端末装置は少なくとも一つのプロセッサ９０２（例えばコンピューティングと処理機能を備えた汎用プロセッサ（ＣＰＵ）、デジタル信号プロセッサ（ＤＳＰ）、専用特定用途向け集積回路（ＡＳＩＣ）、フィールドプログラマブルゲートアレイ（ＦＰＧＡ）など）を備え、プロセッサが端末装置内の各モジュールとデバイスを管理及びスケジューリングする。さらに少なくとも一つのネットワークインタフェース９０５又は他の通信インタフェース、メモリ９０６と少なくとも一つのバスシステム９０３を備える。端末装置の各モジュールはバスシステム９０３を介して接続され、ここでバスシステム９０３がデータバス、電源バス、制御バスと状態信号バスなどを含む可能性があるが、明確に説明するために、図において様々なバスがバスシステム９０３として標識される。
【０１７５】
上記の本出願の実施例で開示される方法はプロセッサ９０２に応用されてもよく、又はメモリ９０６に記憶された実行可能モジュール、例えばコンピュータプログラムを実行することに用いられてもよい。メモリ９０６は高速ランダムアクセスメモリ（ＲＡＭ：Ｒａｎｄｏｍ  Ａｃｃｅｓｓ  Ｍｅｍｏｒｙ）を含む可能性があり、さらに不揮発性メモリ（ｎｏｎ−ｖｏｌａｔｉｌｅ  ｍｅｍｏｒｙ）を含む可能性もあり、メモリは読み取り専用メモリとランダムアクセスメモリを含み、プロセッサへ必要なシグナリング又はデータ、プログラムなどを提供することができる。メモリの一部はさらに不揮発性ラインランダムアクセスメモリ（ＮＶＲＡＭ）を含むこともできる。少なくとも一つのネットワークインタフェース９０５（有線又は無線であってもよい）によって少なくとも一つの他のネットワーク要素との通信接続を実現する。
【０１７６】
いくつかの実施例では、メモリ９０６はプログラム９０６１を記憶しており、プロセッサ９０２は以下の操作を実行するためのプログラム９０６１を実行する：
ネットワークインタフェース９０５を介して第一のネットワーク装置へ第一のビームセット内の各ビームの特徴情報を送信し、該第一のビームセットに少なくとも一つのビームが含まれ、該特徴情報がターゲットビームを確定するために該第一のネットワーク装置によって使用され、
ネットワークインタフェース９０５を介して該第一のネットワーク装置から送信された指示情報を受信し、該指示情報が該第一のネットワーク装置によって確定された該ターゲットビームを示すことに用いられ、
該ターゲットビームに基づき、ビーム管理を行う。
【０１７７】
説明すべきものとして、該アクセスネットワーク装置は具体的に上記実施例における端末装置であってもよく、そして上記方法の実施例における端末装置に対応する各ステップ及び／又はプロセスを実行することに用いられてもよい。
【０１７８】
本出願の実施例による以上の技術的解決策から分かるように、ネットワーク装置へビームセット内の各ビームの特徴情報を送信することにより、ネットワーク装置は特徴情報に基づいてターゲットビームを確定し、そしてネットワーク装置から送信された、確定されたターゲットビームを示すための指示情報を受信し、さらにターゲットビームに基づいてビーム管理を行い、このようにして端末装置がビームの特徴情報を送信することにより、ネットワーク装置は端末装置のための最適なターゲットビームを確定し、ターゲットビームに基づいてビーム管理を行い、それによって信号伝送の品質が向上する。
【０１７９】
図１０は本出願の実施例によるネットワーク装置の構造を示す図である。該ネットワーク装置は少なくとも一つのプロセッサ１００２（例えばコンピューティングと処理機能を備えた汎用プロセッサ（ＣＰＵ）、デジタル信号プロセッサ（ＤＳＰ）、専用特定用途向け集積回路（ＡＳＩＣ）、フィールドプログラマブルゲートアレイ（ＦＰＧＡ）など）を備え、プロセッサがネットワーク装置内の各モジュールとデバイスを管理及びスケジューリングする。さらに少なくとも一つのネットワークインタフェース１００５又は他の通信インタフェース、メモリ１００６と少なくとも一つのバスシステム１００３を備える。ネットワーク装置の各モジュールはバスシステム１００３を介して接続され、ここでバスシステム１００３がデータバス、電源バス、制御バスと状態信号バスなどを含む可能性があるが、明確に説明するために、図において様々なバスシがバスシステム１００３として標識される。
【０１８０】
上記の本出願の実施例で開示される方法はプロセッサ１００２に応用されてもよく、又はメモリ１００６に記憶された実行可能モジュール、例えばコンピュータプログラムを実行することに用いられてもよい。メモリ１００６は高速ランダムアクセスメモリ（ＲＡＭ：Ｒａｎｄｏｍ  Ａｃｃｅｓｓ  Ｍｅｍｏｒｙ）を含む可能性があり、さらに不揮発性メモリ（ｎｏｎ−ｖｏｌａｔｉｌｅ  ｍｅｍｏｒｙ）を含む可能性もあり、メモリは読み取り専用メモリとランダムアクセスメモリを含み、プロセッサへ必要なシグナリング又はデータ、プログラムなどを提供することができる。メモリの一部はさらに不揮発性ラインランダムアクセスメモリ（ＮＶＲＡＭ）を含むこともできる。少なくとも一つのネットワークインタフェース１００５（有線又は無線であってもよい）によって少なくとも一つの他のネットワーク要素との通信接続を実現する。
【０１８１】
いくつかの実施例では、メモリ１００６はプログラム１００６１を記憶しており、プロセッサ１００２は以下の操作を実行するためのプログラム１００６１を実行する：
ネットワークインタフェース１００５を介して端末装置から送信された第一のビームセット内の各ビームの特徴情報を受信し、該第一のビームセットに複数のビームが含まれ、
該第一のビームセット内の各ビームの特徴情報に基づき、該第一のビームセットからターゲットビームを確定し、
ネットワークインタフェース１００５を介して該端末装置へ指示情報を送信し、該指示情報が該第一のネットワーク装置によって確定された該ターゲットビームを示すことに用いられる。
【０１８２】
説明すべきものとして、該アクセスネットワーク装置は具体的に上記実施例におけるネットワーク装置であってもよく、そして上記方法の実施例におけるネットワーク装置に対応する各ステップ及び／又はプロセスを実行することに用いられてもよい。
【０１８３】
本出願の実施例による以上の技術的解決策から分かるように、端末装置から送信されたビームセット内の各ビームの特徴情報を受信し、特徴情報に基づいてターゲットビームを確定し、そして端末装置へ確定されたターゲットビームを示すための指示情報を送信し、これにより端末装置はターゲットビームに基づいてビーム管理を行い、このようにして端末装置がビームの特徴情報を送信することにより、ネットワーク装置は端末装置のための最適なターゲットビームを確定し、そしてターゲットビームに基づいてビーム管理を行い、それによって信号伝送の品質が向上する。
【０１８４】
本出願の実施例はさらにコンピュータ記憶媒体を提供し、該コンピュータ記憶媒体が上記のいずれかの方法を示すためのプログラム命令を記憶することができる。
【０１８５】
選択可能に、該メモリ媒体は具体的にメモリ９０６又は１００６であってもよい。
【０１８６】
理解すべきものとして、本明細書では用語「及び／又は」は関連するオブジェクトの関連関係を記述するためのものに過ぎず、３種類の関係が存在してもよいことを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１８７】
本出願の様々な実施例では、上記各プロセスの番号の大きさが実行順序を意味せず、各プロセスの実行順序はその機能と内部ロジックによって確定されるべきであり、本出願の実施例の実施プロセスのいかなる限定を構成するものではないと理解すべきである。
【０１８８】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本出願の範囲を超えていると考えられるべきではない。
【０１８９】
当業者は便宜上且つ簡潔に説明するために、上述したシステム、装置とユニットの具体的な動作プロセスについて上記方法の実施例における対応するプロセスを参照できることを明確に理解することができ、ここでは説明を省略する。
【０１９０】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば、複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１９１】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１９２】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。
【０１９３】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１９４】
以上は、本発明の具体的な実施形態に過ぎず、本発明の保護範囲はこれに制限されず、当業者が本発明に開示された技術範囲内で容易に想到し得る変化又は入れ替わりが全て本発明の保護範囲内に含まれるべきである。したがって、本発明の保護範囲は特許請求の範囲によって準拠するべきである。
【図１】
2019536304.tif 000003
【図２】
2019536304.tif 000004
【図３】
2019536304.tif 000005
【図４】
2019536304.tif 000006
【図５】
2019536304.tif 000007
【図６】
2019536304.tif 000008
【図７】
2019536304.tif 000009
【図８】
2019536304.tif 000010
【図９】
2019536304.tif 000011
【図１０】
2019536304.tif 000012
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ビーム管理方法であって、
端末装置が第一のネットワーク装置へ第一のビームセット内の各ビームの特徴情報を送信し、前記第一のビームセットに少なくとも一つのビームが含まれ、前記特徴情報が前記第一のネットワーク装置がターゲットビームを確定するために用いられることと、
前記端末装置が前記第一のネットワーク装置から送信された指示情報を受信し、前記指示情報が前記第一のネットワーク装置によって確定された前記ターゲットビームを示すことに用いられることと、
前記端末装置が前記ターゲットビームに基づき、ビーム管理を行うこととを含む、前記ビーム管理方法。
【請求項２】
前記方法はさらに、
前記端末装置が前記第一のビームセット内の各ビームのチャネル品質を取得することを含み、
ここで、前記端末装置がネットワーク装置へ第一のビームセット内の各ビームの特徴情報を送信することは、
前記端末装置が前記第一のネットワーク装置へ前記第一のビームセット内の各ビームの特徴情報を送信し、前記特徴情報にチャネル品質を示すためのチャネル品質情報が含まれることを含むことを特徴とする
請求項１に記載の方法。
【請求項３】
前記第一のビームセットは第二のビームセット内のビームのチャネル品質とプリセットチャネル品質との関係によって確定され、第二のビームセットが、前記端末装置が現在使用されている第一のビームで特徴情報が測定できるビームを含み、前記第一のビームが前記第一のネットワーク装置に対応することを特徴とする
請求項１又は２に記載の方法。
【請求項４】
前記方法はさらに、
前記端末装置が前記第一のビームのチャネル品質及び第二のビームセット内のビームのチャネル品質とプリセットチャネル品質との関係に応じて、前記第一のビームセットを確定することを含み、
ここで、前記端末装置が前記ターゲットビームに基づき、ビーム接続を管理することは、
前記端末装置が前記ターゲットビームに基づき、前記第一のビームから前記ターゲットビームへのビーム切り替えを行うことを含むことを特徴とする
請求項３に記載の方法。
【請求項５】
前記端末装置が前記第一のビームのチャネル品質に基づき、前記第一のビームセットを確定することは、
前記端末装置が、前記第一のビームのチャネル品質が第一のプリセットチャネル品質閾値未満である時に、前記第二のビームセット内の第二のプリセットチャネル品質閾値より高い少なくとも一つのビームを前記第一のビームセットとして確定することを含むことを特徴とする
請求項４に記載の方法。
【請求項６】
前記端末装置が前記第一のビームのチャネル品質に基づき、前記第一のビームセットを確定することは、
前記端末装置が前記第一のビームのチャネル品質が第一のプリセットチャネル品質閾値より低い時に、前記第二のビームセット内の第二のプリセットチャネル品質閾値より高い少なくとも一つのビームを第三のビームセットとして確定することと、
前記端末装置が前記第三のビームセット内のチャネル品質が最も高いビームを前記第一のビームセットとして確定することとを含むことを特徴とする
請求項４に記載の方法。
【請求項７】
前記方法はさらに、
前記端末装置が前記第二のビームセット内の第二のプリセットチャネル品質閾値より大きい少なくとも一つのビームを前記第一のビームセットとして確定することを含み、
ここで、前記端末装置が前記ターゲットビームに基づき、ビーム接続を管理することは、
前記端末装置が前記ターゲットビームに基づき、前記ターゲットビームのセカンダリ接続を確立することを含むことを特徴とする
請求項３に記載の方法。
【請求項８】
前記方法はさらに、
前記端末装置が前記第二のビームセット内の第二のプリセットチャネル品質閾値より大きい少なくとも一つのビームを第三のビームセットとして確定することと、
前記端末装置が前記第三のビームセット内のチャネル品質が最も高いビームを前記第一のビームセットとして確定することとを含み、
ここで、前記端末装置が前記ターゲットビームに基づき、ビーム接続を管理することは、
前記端末装置が前記ターゲットビームに基づき、前記ターゲットビームのセカンダリ接続を確立することを含むことを特徴とする
請求項３に記載の方法。
【請求項９】
前記方法はさらに、
前記端末装置が前記第二のビームセットの前記第一のプリセットチャネル品質閾値より低い少なくとも一つのビームを前記第一のビームセットとして確定することを含み、
ここで、前記端末装置が前記ターゲットビームに基づき、ビーム接続を管理することは、
前記端末装置が前記ターゲットビームに基づき、前記ターゲットビームのセカンダリ接続を削除することを含むことを特徴とする
請求項３に記載の方法。
【請求項１０】
前記方法はさらに、
前記端末装置が前記第二のビームセットの前記第一のプリセットチャネル品質閾値未満の少なくとも一つのビームを第三のビームセットとして確定することと、
前記端末装置が前記第三のビームセット内のチャネル品質が最も低いビームを前記第一のビームセットとして確定することとを含み、
ここで、前記端末装置が前記ターゲットビームに基づき、ビーム接続を管理することは、
前記端末装置が前記ターゲットビームに基づき、前記ターゲットビームのセカンダリ接続を削除することを含むことを特徴とする
請求項３に記載の方法。
【請求項１１】
前記第一のビームは第四のビームセットの境界ビームであり、しかも前記第四のビームセットに含まれる複数のビームの各ビームと前記第一のビームの特徴情報が同じであることを特徴とする
請求項３−１０のいずれか一項に記載の方法。
【請求項１２】
前記指示情報に前記ターゲットビームのビーム識別ＩＤ、ビームグループＩＤ、セルＩＤ、第二のネットワーク装置のネットワーク装置ＩＤとビーム配置情報のうちの少なくとも一つが含まれ、ここで、前記第二のネットワーク装置が前記ターゲットビームに対応するネットワーク装置であることを特徴とする
請求項１−１１のいずれか一項に記載の方法。
【請求項１３】
前記端末装置が前記ターゲットビームに基づき、ビーム接続を管理することは、
前記端末装置が前記ターゲットビームを使用して信号を送信することを含むことを特徴とする
請求項１又は２に記載の方法。
【請求項１４】
前記第一のビームセット内の各ビームの特徴情報にビーム識別ＩＤ及び／又はビームグループＩＤがさらに含まれることを特徴とする
請求項１−１３のいずれか一項に記載の方法。
【請求項１５】
ビーム管理方法であって、
第一のネットワーク装置が端末装置から送信された第一のビームセット内の各ビームの特徴情報を受信し、前記第一のビームセットに複数のビームが含まれることと、
前記第一のネットワーク装置が前記第一のビームセット内の各ビームの特徴情報に基づき、前記第一のビームセットからターゲットビームを確定することと、
前記第一のネットワーク装置が前記端末装置へ指示情報を送信し、前記指示情報が前記第一のネットワーク装置によって確定された前記ターゲットビームを示すことに用いられることとを含む、前記ビーム管理方法。
【請求項１６】
ビームを管理するための端末装置であって、
第一のネットワーク装置へ第一のビームセット内の各ビームの特徴情報を送信するように構成され、前記第一のビームセットに少なくとも一つのビームが含まれ、前記特徴情報が前記第一のネットワーク装置がターゲットビームを確定するために用いられる送信モジュールと、
前記第一のネットワーク装置から送信された指示情報を受信するように構成され、前記指示情報が前記第一のネットワーク装置によって確定された前記ターゲットビームを示すことに用いられる受信モジュールと、
前記ターゲットビームに基づき、ビーム管理を行うように構成される処理モジュールとを備えることを特徴とする端末装置。
【請求項１７】
前記受信モジュールはさらに前記第一のビームセット内の各ビームのチャネル品質を取得するように構成され、
前記送信モジュールは具体的に、
前記第一のネットワーク装置へ前記第一のビームセット内の各ビームの特徴情報を送信するように構成され、前記特徴情報にチャネル品質を示すためのチャネル品質情報が含まれることを特徴とする
請求項１６に記載の端末装置。
【請求項１８】
前記第一のビームセットは第二のビームセット内のビームとプリセットチャネル品質との関係によって確定され、第二のビームセットが、前記端末装置が現在使用されている第一のビームで特徴情報が測定できるビームを含み、前記第一のビームが前記第一のネットワーク装置に対応することを特徴とする
請求項１６又は１７に記載の端末装置。
【請求項１９】
前記処理モジュールは具体的に、
前記第一のビームのチャネル品質に基づき、前記第一のビームセットを確定し、
前記ターゲットビームに基づき、前記第一のビームから前記ターゲットビームへのビーム切り替えを行うように構成されることを特徴とする
請求項１８に記載の端末装置。
【請求項２０】
前記処理モジュールは具体的に、
前記第一のビームのチャネル品質が第一のプリセットチャネル品質閾値未満である時に、前記第二のビームセット内の第二のプリセットチャネル品質閾値より高い少なくとも一つのビームを前記第一のビームセットとして確定するように構成されることを特徴とする
請求項１９に記載の端末装置。
【請求項２１】
前記処理モジュールは具体的に、
前記第一のビームのチャネル品質が第一のプリセットチャネル品質閾値より低い時に、前記第二のビームセット内の第二のプリセットチャネル品質閾値より高い少なくとも一つのビームを第三のビームセットとして確定し、
前記第三のビームセット内のチャネル品質が最も高いビームを前記第一のビームセットとして確定するように構成されることを特徴とする
請求項１９に記載の端末装置。
【請求項２２】
前記処理モジュールは具体的に、
前記第二のビームセット内の第二のプリセットチャネル品質閾値より大きい少なくとも一つのビームを前記第一のビームセットとして確定し、
前記ターゲットビームに基づき、前記ターゲットビームのセカンダリ接続を確立するように構成されることを特徴とする
請求項１８に記載の端末装置。
【請求項２３】
前記処理モジュールは具体的に、
前記第二のビームセット内の第二のプリセットチャネル品質閾値より大きい少なくとも一つのビームを第三のビームセットとして確定し、
前記第三のビームセット内のチャネル品質が最も高いビームを前記第一のビームセットとして確定し、
前記ターゲットビームに基づき、前記ターゲットビームのセカンダリ接続を確立するように構成されることを特徴とする
請求項１８に記載の端末装置。
【請求項２４】
前記処理モジュールは具体的に、
前記第二のビームセットの前記第一のプリセットチャネル品質閾値より低い少なくとも一つのビームを前記第一のビームセットとして確定し、
前記端末装置は前記ターゲットビームに基づき、前記ターゲットビームのセカンダリ接続を削除するように構成されることを特徴とする
請求項１８に記載の端末装置。
【請求項２５】
前記処理モジュールは具体的に前記第二のビームセットの前記第一のプリセットチャネル品質閾値未満の少なくとも一つのビームを第三のビームセットとして確定し、
前記第三のビームセット内のチャネル品質が最も低いビームを前記第一のビームセットとして確定し、
前記ターゲットビームに基づき、前記ターゲットビームのセカンダリ接続を削除するように構成されることを特徴とする
請求項１８に記載の端末装置。
【請求項２６】
前記第一のビームは第四のビームセットの境界ビームであり、しかも前記第四のビームセットに含まれる複数のビームの各ビームと前記第一のビームの特徴情報が同じであることを特徴とする
請求項１８−２５のいずれか一項に記載の端末装置。
【請求項２７】
前記指示情報に前記ターゲットビームのビーム識別ＩＤ、ビームグループＩＤ、セルＩＤ、第二のネットワーク装置のネットワーク装置ＩＤとビーム配置情報のうちの少なくとも一つが含まれ、ここで、前記第二のネットワーク装置が前記ターゲットビームに対応するネットワーク装置であることを特徴とする
請求項１６−２６のいずれか一項に記載の端末装置。
【請求項２８】
前記処理モジュールは具体的に、
前記端末装置が前記ターゲットビームを使用して信号を送信するように構成されることを特徴とする
請求項１６又は１７のいずれか一項に記載の端末装置。
【請求項２９】
前記第一のビームセット内の各ビームの特徴情報にビームＩＤ及び／又はビームグループＩＤがさらに含まれることを特徴とする
請求項１６−２８のいずれか一項に記載の端末装置。
【請求項３０】
第一のネットワーク装置であって、
端末装置から送信された第一のビームセット内の各ビームの特徴情報を受信するように構成され、前記第一のビームセットに複数のビームが含まれる受信モジュールと、
前記受信モジュールによって受信された前記第一のビームセット内の各ビームの特徴情報に基づき、前記第一のビームセットからターゲットビームを確定するように構成される処理モジュールと、
前記端末装置へ指示情報を送信するように構成され、前記指示情報が前記第一のネットワーク装置によって確定された前記ターゲットビームを示すことに用いられる送信モジュールとを備える、前記第一のネットワーク装置。
【国際調査報告】
2019536304.tif 000013
2019536304.tif 000014
2019536304.tif 000015
2019536304.tif 000016